(57)【要約】      （修正有）【課題】高圧導線電流の測定装置及び測定方法を提供する。【解決手段】測定装置は電流変成器１、整流調整電気回路２、多段演算増幅電気回路３、検波電気回路４、アナログ−デジタル変換電気回路５及び表示電気回路６を含む。電流変成器１は高圧導線に取り付けられ且つそれの出力端子が整流調整電気回路２と接続されて直流給電電源となり多段演算増幅電気回路３及び表示電気回路６に提供する。サンプリング導線の両端の電圧が多段演算増幅電気回路３の入力端子と接続された後、検波電気回路４と接続されて前記サンプリング導線の電流値を取得した後、アナログ−デジタル変換電気回路５に出力して高圧導線電流値に換算し、且つデジタル信号に転換して表示電気回路６に出力して表示する。【選択図】図１
2019078737.tif 000002
【特許請求の範囲】
【請求項１】
電流変成器、整流調整電気回路、多段演算増幅電気回路、検波電気回路、アナログ−デジタル変換電気回路及び表示電気回路を含む高圧導線電流の測定装置であって、
前記電流変成器が高圧導線に取り付けられ且つそれの出力端子が整流調整電気回路に接続され、整流調整電気回路で整流且つ調整されてから、多段演算増幅電気回路に給電する第一直流給電電圧と表示電気回路に給電する第二直流給電電圧が取得され、
サンプリング導線の両端の電圧が多段演算増幅電気回路の入力端子に入力され、多段演算増幅電気回路で拡大されて検波電気回路に出力され、検波電気回路で検波されて前記サンプリング導線の両端の電圧値が取得され、前記電圧値がアナログ−デジタル変換電気回路に出力され、前記アナログ−デジタル変換電気回路で前記電圧値が高圧導線電流値に換算され、且つ表示電気回路と接続して前記高圧導線の電流値が表示され、
前記サンプリング導線は一定長さの電圧導線であることを特徴とする高圧導線電流の測定装置。
【請求項２】
信号発信装置及び地上受信装置をさらに含み、前記信号発信装置がアナログ−デジタル変換電気回路と接続され且つ地上受信装置と無線通信接続される又は光ケーブル通信接続されることで、前記電流値を地上受信装置に送信することを特徴とする請求項１に記載の高圧導線電流の測定装置。
【請求項３】
前記整流調整電気回路はコンデンサＣ１、コンデンサＣ２、コンデンサＣ３、二極管Ｄ１、二極管Ｄ２、ツェナーダイオードＤ３、ツェナーダイオードＤ４、ツェナーダイオードＤ５と抵抗Ｒ１を含み、
電流変成器の一端がコンデンサＣ１の一端と接続され、コンデンサＣ１のもう一端が二極管Ｄ１の陽極と接続され、二極管Ｄ１の陰極を並列連結しているコンデンサＣ２とツェナーダイオードＤ３と接続して多段演算増幅電気回路に給電する第一直流給電電圧の正電圧を生成し、
電流変成器のもう一端が二極管Ｄ２の陰極と接続され、二極管Ｄ２の陽極を並列連結しているコンデンサＣ３とツェナーダイオードＤ４と接続して多段演算増幅電気回路に給電する第一直流給電電圧の負電圧を生成し、
直列後のツェナーダイオードＤ５と抵抗Ｒ１がツェナーダイオードＤ３の両端と並列接続され、前記ツェナーダイオードＤ５両端の電圧が表示電気回路に給電する第二直流給電電圧を形成することを特徴とする請求項１に記載の高圧導線電流の測定装置。
【請求項４】
前記多段演算増幅電気回路は四つの演算増幅器を含み、それぞれ第一演算増幅器、第二演算増幅器、第三演算増幅器と第四演算増幅器であり、
サンプリング導線の端子電圧の正出力端子が抵抗Ｒ２、Ｒ３の一端と接続され、抵抗Ｒ２のもう一端が地面に結びつけられ、抵抗Ｒ３のもう一端と抵抗Ｒ５の一端が第一演算増幅器の正相入力端子と接続され、抵抗Ｒ５のもう一端が地面に結びつけられ、第一演算増幅器の出力端子が抵抗Ｒ６とコンデンサＣ４の一端と接続され、抵抗Ｒ６のもう一端と抵抗Ｒ４の一端が第一演算増幅器の反転入力端子と接続され、抵抗Ｒ４のもう一端が地面に結びつけられる、
コンデンサＣ４のもう一端が第二演算増幅器の正相入力端子と抵抗Ｒ８の一端と接続され、抵抗Ｒ８のもう一端が地面に結びつけられ、第二演算増幅器の出力端子が抵抗Ｒ９とコンデンサＣ５の一端と接続され、抵抗Ｒ９のもう一端と抵抗Ｒ７の一端が第二演算増幅器の反転入力端子と接続され、抵抗Ｒ７のもう一端が地面に結びつけられ、
コンデンサＣ５のもう一端が第三演算増幅器の正相入力端子と抵抗Ｒ１０の一端と接続され、抵抗Ｒ１０のもう一端が地面に結びつけられ、第三演算増幅器の出力端子が抵抗Ｒ１１とコンデンサＣ６の一端と接続され、抵抗Ｒ１１のもう一端と抵抗Ｒ２０の一端が第三演算増幅器の反転入力端子と接続され、抵抗Ｒ２０のもう一端が地面に結びつけられ、
コンデンサＣ６のもう一端が第四演算増幅器の正相入力端子と抵抗Ｒ１２の一端と接続され、抵抗Ｒ１２のもう一端が地面に結びつけられ、第四演算増幅器の出力端子がコンデンサＣ７と抵抗Ｒ１３の一端と接続され、抵抗Ｒ１３のもう一端と抵抗Ｒ２１の一端が第四演算増幅器の反転入力端子と接続され、抵抗Ｒ２１のもう一端が地面に結びつけられ、コンデンサＣ７のもう一端が検波電気回路と接続されることを特徴とする請求項１に記載の高圧導線電流の測定装置。
【請求項５】
前記検波電気回路はコンデンサＣ７、二極管Ｄ６、二極管Ｄ７、抵抗Ｒ１６、抵抗Ｒ１５、コンデンサＣ９、コンデンサＣ８、抵抗Ｒ１４、抵抗Ｒ１７、抵抗Ｒ１８、ポテンショメータＲｐを含み、
二極管Ｄ６の陰極が抵抗Ｒ１５、コンデンサＣ８の一端と接続され、二極管Ｄ７の陰極が抵抗Ｒ１６、コンデンサＣ９の一端と接続され、二極管Ｄ７の陽極、抵抗Ｒ１６、コンデンサＣ９のもう一端及び二極管Ｄ６の陽極、抵抗Ｒ１５、コンデンサＣ８のもう一端が共点接続を形成し、前記二極管Ｄ６、抵抗Ｒ１５、コンデンサＣ８から正検波整流回路が構成され、前記二極管Ｄ７、抵抗Ｒ１６、コンデンサＣ９から負検波整流回路が構成され、
前記共点は抵抗Ｒ１４を通して地面に結びつけられ、正検波整流後の出力が抵抗Ｒ１７で接続されてからポテンショメータＲｐの一端と接続し、Ｒｐのもう一端を抵抗Ｒ１８で地面と結びつけられ、ポテンショメータＲｐの中間タップによって伝達された電圧値は前記高圧電流導線の電流値と一致するように調整された後アナログ−デジタル変換電気回路に提供されることを特徴とする請求項１又は４に記載の高圧導線電流の測定装置。
【請求項６】
前記多段演算増幅電気回路は二つのＬＭ３５８二重演算増幅器を含むことを特徴とする請求項４に記載の高圧導線電流の測定装置。
【請求項７】
前記第一直流給電電圧は±５Ｖであり、前記第二直流給電電圧は２．５Ｖであることを特徴とする請求項１又は３に記載の高圧導線電流の測定装置。
【請求項８】
一定の長さの高圧導線を選択し、サンプリング導線両端の電圧が多段演算増幅電気回路の入力端子に入力され、多段演算増幅電気回路で拡大されてから検波電気回路に出力し、検波電気回路によって前記サンプリング導線両端の電圧値を取得し、前記電圧値をアナログ−デジタル変換電気回路に出力し、アナログ−デジタル変換電気回路で前記電圧値を高圧導線の電流値に転換させ、表示電気回路と接続して前記高圧導線の電流値を表示し、
高圧導線に取り付けられる電流変成器の出力端子が整流調整電気回路と接続され、整流調整電気回路で整流且つ安定化してから、多段演算増幅電気回路に給電する第一直流給電電圧と表示電気回路に給電する第二直流給電電圧を取得する、
ことを特徴とする高圧導線電流の測定方法。
【請求項９】
前記高圧導線の電流値を信号発信装置及び地面接地装置を通して、地上受信装置に発信することを特徴とする請求項８に記載の高圧導線電流の測定方法。
【発明の詳細な説明】
【技術分野】
【０００１】
本発明は高圧導線電流の測定装置及び測定方法に関わる。
【背景技術】
【０００２】
従来技術において、高圧導線電流の測定は高圧電流変成器を利用して磁気を電流に転換する方式を採用しているが、高圧電流測定に使われる高圧電流変成器の体積が数立方メートルで、重量がトン以上、コストが数百万円の場合が多く、且つ、それの電流測定結果をチェックするために、作業員は高いところに上る必要があるので、従来高圧導線電流の測定方式としては、コストが高く、作業員の安全が保障できない、測定操作が面倒であるという欠点を持っている。
【発明の概要】
【発明が解決しようとする課題】
【０００３】
背景技術に説明した技術問題を克服するため、本発明は高圧導線電流の測定装置及び測定方法を提供する。
【課題を解決するための手段】
【０００４】
本発明が技術問題を解決するため採用する技術案は以下である。
【０００５】
高圧導線電流の測定装置は電流変成器、整流調整電気回路、多段演算増幅電気回路、検波電気回路、アナログ−デジタル変換電気回路及び表示電気回路を含む。
【０００６】
前記電流変成器が高圧導線に取り付けられ且つそれの出力端子が整流調整電気回路と接続され、整流調整電気回路で整流且つ安定化されてから、多段演算増幅電気回路に給電する第一直流給電電圧と、表示電気回路に給電する第二直流給電電圧を取得する。
【０００７】
サンプリング導線の両端の電圧が多段演算増幅電気回路の入力端子に入力され、多段演算増幅電気回路で拡大されて検波電気回路に出力し、検波電気回路で検波されて前記サンプリング導線の両端の電圧値を取得し、前記電圧値をアナログ−デジタル変換電気回路に出力し、前記アナログ−デジタル変換電気回路で前記電圧を高圧導線電流値に転換し、且つ表示電気回路に接続されて前記高圧導線の電流値を表示する。前記サンプリング導線は一定の長さの電圧導線である。
【０００８】
好ましい実施形態において、さらに信号発信装置及び地上受信装置を含み、前記信号発信装置がアナログ−デジタル変換電気回路と接続され且つ地上受信装置と無線通信接続又は光ケーブル通信接続されることで、前記電流値を地上受信装置に発送する。
【０００９】
好ましい実施形態において、前記整流調整電気回路はコンデンサＣ１、コンデンサＣ２、コンデンサＣ３、二極管Ｄ１、二極管Ｄ２、ツェナーダイオードＤ３、ツェナーダイオードＤ４、ツェナーダイオードＤ５と抵抗Ｒ１を含む。
【００１０】
電流変成器の一端がコンデンサＣ１の一端と接続され、コンデンサＣ１のもう一端が二極管Ｄ１の陽極と接続され、二極管Ｄ１の陰極を並列連結しているコンデンサＣ２とツェナーダイオードＤ３と接続して多段演算増幅電気回路に給電する第一直流給電電圧の正電圧を生成する。
【００１１】
電流変成器のもう一端が二極管Ｄ２の陰極と接続され、二極管Ｄ２の陽極を並列連結しているコンデンサＣ３とツェナーダイオードＤ４と接続して多段演算増幅電気回路に給電する第一直流給電電圧の負電圧を生成する。
【００１２】
直列後のツェナーダイオードＤ５と抵抗Ｒ１をツェナーダイオードＤ３の両端と並列接続し、前記ツェナーダイオードＤ５両端の電圧が表示電気回路に給電する第二直流給電電圧を形成する。
【００１３】
好ましい実施形態において、前記多段演算増幅電気回路は四つの演算増幅器を含み、それぞれ第一演算増幅器、第二演算増幅器、第三演算増幅器と第四演算増幅器である。
【００１４】
サンプリング導線の端子電圧の正出力端子が抵抗Ｒ２、Ｒ３の一端と接続され、抵抗Ｒ２のもう一端を地面に結びつけ、抵抗Ｒ３のもう一端と抵抗Ｒ５の一端が第一演算増幅器の正相入力端子と接続され、抵抗Ｒ５のもう一端を地面に結びつけ、第一演算増幅器の出力端子が抵抗Ｒ６とコンデンサＣ４の一端と接続され、抵抗Ｒ６のもう一端と抵抗Ｒ４の一端が第一演算増幅器の反転入力端子と接続され、抵抗Ｒ４のもう一端を地面に結びつける。
【００１５】
コンデンサＣ４のもう一端が第二演算増幅器の正相入力端子と抵抗Ｒ８の一端と接続され、抵抗Ｒ８のもう一端を地面に結びつけ、第二演算増幅器の出力端子が抵抗Ｒ９とコンデンサＣ５の一端と接続され、抵抗Ｒ９のもう一端と抵抗Ｒ７の一端が第二演算増幅器の反転入力端子と接続され、抵抗Ｒ７のもう一端を地面に結びつける。
【００１６】
コンデンサＣ５のもう一端が第三演算増幅器の正相入力端子と抵抗Ｒ１０の一端と接続され、抵抗Ｒ１０のもう一端を地面に結びつけ、第三演算増幅器の出力端子が抵抗Ｒ１１とコンデンサＣ６の一端と接続され、抵抗Ｒ１１のもう一端と抵抗Ｒ２０の一端が第三演算増幅器の反転入力端子と接続され、抵抗Ｒ２０のもう一端を地面に結びつける。
【００１７】
コンデンサＣ６のもう一端が第四演算増幅器の正相入力端子と抵抗Ｒ１２の一端と接続され、抵抗Ｒ１２のもう一端を地面に結びつけ、第四演算増幅器の出力端子がコンデンサＣ７と抵抗Ｒ１３の一端と接続され、抵抗Ｒ１３のもう一端と抵抗Ｒ２１の一端が第四演算増幅器の反転入力端子と接続され、抵抗Ｒ２１のもう一端を地面に結びつけ、コンデンサＣ７のもう一端が検波電気回路と接続される。
【００１８】
好ましい実施形態において、前記検波電気回路はコンデンサＣ７、二極管Ｄ６、二極管Ｄ７、抵抗Ｒ１６、抵抗Ｒ１５、コンデンサＣ９、コンデンサＣ８、抵抗Ｒ１４、抵抗Ｒ１７、抵抗Ｒ１８、ポテンショメータＲｐを含む。
【００１９】
二極管Ｄ６の陰極が抵抗Ｒ１５、コンデンサＣ８の一端と接続され、二極管Ｄ７の陰極が抵抗Ｒ１６、コンデンサＣ９の一端と接続され、二極管Ｄ７の陽極、抵抗Ｒ１６、コンデンサＣ９のもう一端及び二極管Ｄ６の陽極、抵抗Ｒ１５、コンデンサＣ８のもう一端が共点接続を形成し、前記二極管Ｄ６、抵抗Ｒ１５、コンデンサＣ８から正検波整流電気回路を構成し、前記二極管Ｄ７、抵抗Ｒ１６、コンデンサＣ９から負検波整流電気回路を構成する。
【００２０】
前記共点は抵抗Ｒ１４を通して地面に結びつけ、正検波整流後の出力が抵抗Ｒ１７に接続されてからポテンショメータＲｐの一端と接続され、Ｒｐのもう一端を抵抗Ｒ１８で地面と結びつけ、ポテンショメータＲｐの中間タップによって伝達された電圧値を前記高圧電流導線の電流値と一致するように調整した後アナログ−デジタル変換電気回路に提供する。
【００２１】
好ましい実施形態において、前記多段演算増幅電気回路は二つのＬＭ３５８二重演算増幅器を含む。
【００２２】
好ましい実施形態において、前記第一直流給電電圧は±５Ｖであり、前記第二直流給電電圧は２．５Ｖである。
【００２３】
高圧導線電流の測定方法は、一定の長さの高圧導線を選択し、サンプリング導線両端の電圧が多段演算増幅電気回路の入力端子と接続され、多段演算増幅電気回路で拡大されてから検波電気回路に出力し、検波電気回路によって前記サンプリング導線両端の電圧値を取得し、前記電圧値をアナログ−デジタル変換電気回路に出力し、アナログ−デジタル変換電気回路で前記電圧値を高圧導線の電流値に転換させ、且つ表示電気回路と接続されて前記高圧導線の電流値を表示する。
【００２４】
高圧導線に取り付けられた電流変成器の出力端子が整流調整電気回路と接続され、整流調整電気回路で整流且つ安定化されてから、多段演算増幅電気回路に給電する第一直流給電電圧と、表示電気回路に給電する第二直流給電電圧を取得する。
【００２５】
好ましい実施形態において、前記高圧導線の電流値を信号発信装置及び地面接地装置を通して、地上受信装置に発信する。
【発明の効果】
【００２６】
本技術は背景技術と比べ、以下のメリットがある。
【００２７】
１.本発明はサンプリング導線両端の抵抗値を直接取得し、且つ、前記サンプリング導線から得る電圧値により、オームの法則に基づき、高圧導線の電流値を取得する。測定方法は高圧電流変成器で磁気を電流に転換して電流値を得る方式を採用しなくても良いので、測定方法がもっと簡単で、コストがもっと低い。
【００２８】
２、本発明は多段演算増幅器を使って接続されたサンプリング導線の両端の電圧を拡大し、それの拡大倍数は十分大きい（２００マイクロマイクロボルトレベルの信号を２ボルト近くに拡大する）ので、高圧導線上の極小さい導線電流でも本発明によって直接測定でき、拡大倍数が大きいので、測定するのに必要な高圧導線の断面積を大きくすることができ、負荷量を大きくすることができ、温度効果を相応に減少することができる。
【００２９】
３、本発明は電流変成器を使って高圧導線上の電気信号を取得し、それによって、多段演算増幅電気回路と表示電気回路に給電する電源電圧に転換する。ここで利用する電流変成器はただ高圧導線上の電子信号を取得すればよく、体積や重量の小さい電流変成器を利用して電気を取得し給電することができるので、本発明装置の全体の電気回路の構造が簡単になり、コストが下がる。
【００３０】
４、本発明は信号発信装置と地上受信装置を設置することにより、高空の高圧導線で測定した電流信号を地上に発信し、高いところに登って測定電流をチェックする必要がなくなり、人員の作業安全性を高くすることができる。
【図面の簡単な説明】
【００３１】
以下は図と実施例を組み合わせて本発明の更なる説明を行う。
【００３２】
【図１】図１は本発明の測定装置の電気回路の構造ブロック図である。
【００３３】
【図２】図２は本発明の測定装置の具体的な電気回路図である。
【発明を実施するための最良の形態】
【００３４】
図１と図２に示すように、高圧導線電流の測定装置は電流変成器１、整流調整電気回路２、多段演算増幅電気回路３、検波電気回路４、アナログ−デジタル変換電気回路５、表示電気回路６、信号発信装置７及び地上受信装置８を含む。
【００３５】
前記整流調整電気回路２はコンデンサＣ１、コンデンサＣ２、コンデンサＣ３、二極管Ｄ１、二極管Ｄ２、ツェナーダイオードＤ３、ツェナーダイオードＤ４、ツェナーダイオードＤ５と抵抗Ｒ１を含む。電流変成器の一端がコンデンサＣ１の一端と接続され、Ｃ１のもう一端が二極管Ｄ１の陽極と接続され、二極管Ｄ１の陰極を並列連結しているコンデンサＣ２とツェナーダイオードＤ３と接続されて多段演算増幅電気回路に給電する第一直流給電電圧の正電圧を形成する。電流変成器１のもう一端が二極管Ｄ２の陰極と接続され、二極管Ｄ２の陽極を並列連結しているコンデンサＣ３とツェナーダイオードＤ４と接続されて多段演算増幅電気回路に給電する第一直流給電電圧の負電圧を生成し、コンデンサＣ１と電流変成器の共振により、出力された電圧を第一直流給電電圧の正負電圧の範囲内に安定化させ、二極管Ｄ１と二極管Ｄ２を通して正負電圧に対し、正電圧と負電圧の整流を行う。直列後のツェナーダイオードＤ５と抵抗Ｒ１がツェナーダイオードＤ３の両端と並列接続され、前記ツェナーダイオードＤ５両端の電圧が表示電気回路に電気を提供する第二直流給電電圧を形成する。この実施例において、前記第一直流給電電圧は±５Ｖであり、前記第二直流給電電圧は２．５Ｖである。
【００３６】
前記多段演算増幅電気回路３は四つの演算増幅器を含み、それぞれ第一演算増幅器Ａ１、第二演算増幅器Ａ２、第三演算増幅器Ａ３と第四演算増幅器Ａ４である。サンプリング導線９（一定の長さの高圧導線を取る）の端子電圧の正出力端子が抵抗Ｒ２、Ｒ３の一端と接続され、抵抗Ｒ２のもう一端を地面に結びつけ、抵抗Ｒ３のもう一端と抵抗Ｒ５の一端が第一演算増幅器の正相入力端子と接続され、抵抗Ｒ５のもう一端を地面に結びつけ、第一演算増幅器の出力端子が抵抗Ｒ６とコンデンサＣ４の一端と接続され、抵抗Ｒ６のもう一端と抵抗Ｒ４の一端が第一演算増幅器の反転入力端子と接続され、抵抗Ｒ４のもう一端を地面に結びつける。コンデンサＣ４のもう一端が第二演算増幅器の正相入力端子と抵抗Ｒ８の一端と接続され、抵抗Ｒ８のもう一端を地面に結びつけ、第二演算増幅器の出力端子が抵抗Ｒ９とコンデンサＣ５の一端と接続され、抵抗Ｒ９のもう一端と抵抗Ｒ７の一端が第二演算増幅器の反転入力端子と接続され、抵抗Ｒ７のもう一端を地面に結びつける。コンデンサＣ５のもう一端が第三演算増幅器の正相入力端子と抵抗Ｒ１０の一端と接続され、抵抗Ｒ１０のもう一端を地面に結びつけ、第三演算増幅器の出力端子が抵抗Ｒ１１とコンデンサＣ６の一端と接続され、抵抗Ｒ１１のもう一端と抵抗Ｒ２０の一端が第三演算増幅器の反転入力端子と接続され、抵抗Ｒ２０のもう一端を地面に結びつける。コンデンサＣ６のもう一端が第四演算増幅器の正相入力端子と抵抗Ｒ１２の一端と接続され、抵抗Ｒ１２のもう一端を地面に結びつけ、第四演算増幅器の出力端子がコンデンサＣ７と抵抗Ｒ１３の一端と接続され、抵抗Ｒ１３のもう一端と抵抗Ｒ２１の一端が第四演算増幅器の反転入力端子と接続され、抵抗Ｒ２１のもう一端を地面に結びつけ、コンデンサＣ７のもう一端が検波電気回路と接続される。内、Ｒ６、Ｒ９、Ｒ１１とＲ１３はそれぞれ第一演算増幅器、第二演算増幅器、第三演算増幅器と第四演算増幅器の拡大倍数を決める。具体的に言うと、本実施例は二つのＬＭ３５８二重演算増幅器を採用する。前記多段演算増幅器は本実施例に説明した四級増幅を含むことに限らない。
【００３７】
前記検波電気回路４はコンデンサＣ７、二極管Ｄ６、二極管Ｄ７、抵抗Ｒ１６、抵抗Ｒ１５、コンデンサＣ９、コンデンサＣ８、抵抗Ｒ１４、抵抗Ｒ１７、抵抗Ｒ１８、ポテンショメータＲｐを含む。二極管Ｄ６の陰極が抵抗Ｒ１５、コンデンサＣ８の一端と接続され、二極管Ｄ７の陰極が抵抗Ｒ１６、コンデンサＣ９の一端と接続され、二極管Ｄ７の陽極、抵抗Ｒ１６、コンデンサＣ９のもう一端及び二極管Ｄ６の陽極、抵抗Ｒ１５、コンデンサＣ８のもう一端が共点接続を形成し、前記二極管Ｄ６、抵抗Ｒ１５、コンデンサＣ８から正検波整流電気回路を構成し、前記二極管Ｄ７、抵抗Ｒ１６、コンデンサＣ９から負検波整流電気回路を構成する。前記共点は抵抗Ｒ１４を通して地面に結びつけ、正検波整流後の出力が抵抗Ｒ１７に接続されてからポテンショメータＲｐの一端と接続し、Ｒｐのもう一端を抵抗Ｒ１８で地面と結びつけ、ポテンショメータＲｐの中間タップによって伝達された電圧値を前記高圧電流導線の電流値と一致するように調整した後アナログ−デジタル変換電気回路５に提供する。
【００３８】
前記電流変成器１は高圧導線に取り付けられ且つその出力端子が整流調整電気回路２と接続され、整流調整電気回路２で整流且つ安定化してから、多段演算増幅電気回路３に給電する第一直流給電電圧と表示電気回路に給電する第二直流給電電圧を得る。
【００３９】
測定する時に、前記電流変成器１は高圧導線に取り付けられ且つその出力端子が整流調整電気回路と接続され、整流調整電気回路で整流且つ安定化されてから、多段演算増幅電気回路に作業電圧を提供する第一直流給電電圧と、表示電気回路に作業電圧を提供する第二直流給電電圧を取得する。サンプリング導線の両端の電圧が多段演算増幅電気回路の入力端子に入力され、多段演算増幅電気回路で拡大されて検波電気回路に出力され、検波電気回路で検波されて得た電圧値を対応する前記サンプリング導線上の電流値に転換し、前記電流値をアナログ−デジタル変換電気回路に出力し、前記アナログ−デジタル変換電気回路で前記電流値をデータ信号に転換させ、表示電気回路と接続して前記高圧導線の電流値を表示する。
【００４０】
前記信号発信装置がアナログ−デジタル変換電気回路と接続され且つ地上受信装置と無線通信接続され、信号発信装置で測定した電流値を地上受信装置に発送してチェック、記録する。
【００４１】
本発明において説明した高圧導線電流の測定装置は高圧導線上のサンプリング導線両端の電圧信号を直接取得して高圧導線の電流を測定し、高圧電流変成器で磁気を電流に転換して電流値を測定する方式を採用しなくても良いので、測定方法がより簡単かつ安全で、コストが低い。
【００４２】
前記実施例は本発明の好ましい実施例であり、本発明は実施例に限定されるものではなく、本発明の技術実質に基づく、前記実施例に対するいかなる簡単な修正、類似変化及び修飾も本発明技術案の保護範囲に属する。
【図１】
2019078737.tif 000003
【図２】
2019078737.tif 000004